(57)【要約】      （修正有）【課題】着用者の下腹部の膨らみを目立たなくし、かつ皺が生じにくいパンツを提供する。【解決手段】パンツ１の表地のうち少なくとも腹部から正面股部にかけての裏側に、表地よりも保形性の高い芯地４０を重ね合わせ、その芯地４０のほぼ全面を表地に固定し、さらにそのうえから芯地４０が見えないように裏地５０を被せてその周縁部等を表地に固定する。芯地４０によって表地が補強されているため、着用者の腹部が押し当てられても表地が膨張することや、撓んだりすることが抑制され、下腹部の膨らみの目立ちや皺の発生が抑制される。芯地４０を裏地５０で覆い隠すことで、芯地４０が露出している場合に比べて美観が向上し、芯地４０が摩擦等により劣化することが防止される。【選択図】図２
0003180977.tif 000002
【実用新案登録請求の範囲】
【請求項１】
正面側の腹部が着用者の下腹部を覆い背面側の臀部が着用者の臀部を覆う胴部、および胴部の下端から二股に分かれて着用者の左右の脚部をそれぞれ覆う一対の脚部、を有する表地と、
前記表地よりも保形性の高い布地で形成され、前記表地の裏側の少なくとも前記腹部から前記脚部のうちで着用者の正面側の脚の付け根を覆う正面股部にかけての範囲に重ね合わされて、そのほぼ全面が前記表地に固定されている芯地と、を備えるパンツ。
【請求項２】
前記表地の裏側の少なくとも前記芯地の全体を覆う範囲に重ね合わされて、前記表地にその少なくとも周縁部が固定された裏地をさらに備える請求項1に記載のパンツ。
【考案の詳細な説明】
【技術分野】
【０００１】
本考案は、パンツに関する。
【背景技術】
【０００２】
女性用のパンツ（以下、本明細書では、脚衣の総称を意味する）は、体のラインを綺麗に見せるために、下半身に比較的密着しやすいデザインになっていることが多い。
しかし、一般に女性は加齢や出産にともなって下腹部の膨らみが増してくる傾向があり、そのような女性が下半身に密着しやすいデザインのパンツを着用した場合には、パンツは通常は柔軟で保形性の低い生地で形成されていることから、その女性の下腹部により下腹部を覆うパンツの腹部が内側から押し広げられ、大きく膨らんでしまう。
【０００３】
また、柔軟で保形性の低い生地から形成されたパンツの腹部が内側から押し広げられると、局部的に生地が不足して引っ張られたりまた生地が余って撓んだりしてしまうため、特にその腹部から女性の正面側の脚の付け根を覆うパンツの正面股部にかけて、着用時に多数の皺が生じてしまう。
なかでも下腹部のサイズに合わせて、比較的ゆとりのあるサイズのパンツを着用した場合には、腹回り以外の箇所（たとえば正面股部）においては生地が余り、着用者の身体とパンツの間の隙間が大きくなることなどから、上述のような皺の発生が顕著になる。
【０００４】
このように、従来の女性用のパンツは、本来は着用者の体のラインを綺麗に見せるためのデザインになっているにもかかわらず、下腹部が膨らみがちな女性が着用すると、パンツの腹部が膨らむことで下腹部の膨らみが一層強調されてしまうとともに、パンツの腹部から正面側の股部にかけて皺も寄りやすく、見栄えが悪い問題がある。
【０００５】
ところで特許文献1のように、女性用パンツの表地の少なくとも腹部の裏側に、弾性的に伸縮可能なパワーネットを重ね合わせ、そのパワーネットの周縁部のみを表地の裏側に貼り付け等したものも考案されている。
このようなパンツを着用すると、パワーネットはその周縁部を除いてパンツの表地から遊離した状態にあるため、ここに包み込まれる女性の下腹部はパワーネットの収縮力により押さえ付けられ、締め付けられることになる。したがって理論上は、下腹部の膨らみを目立たなくすることが可能である。
【０００６】
しかし現実的には、パワーネットで下腹部を締め付けたとしても、その締め付け力には限界があるため、下腹部の膨らみが極端に小さくなることはない。
また、パワーネットの締め付けにより下腹部の膨らみが多少なりとも小さくなるとしても、パンツ本体の腹部が通常柔らかく保形性の小さい生地で形成されている以上は、程度の差こそあれ依然として下腹部により内側から押し広げられることに変わりはないため、その生地が引っ張られたり撓んだりして皺が生じることを避けられない。
以上のような問題は、加齢や肥満等により下腹部が膨らみがちな男性が、男性用パンツを着用した場合においても妥当する。
【先行技術文献】
【特許文献】
【０００７】
【特許文献１】特開２０１１−２１２９４号公報
【考案の概要】
【考案が解決しようとする課題】
【０００８】
そこで本考案の解決すべき課題は、パンツについて、着用者の下腹部の膨らみを目立たなくし、かつ皺が生じにくくすることである。
【課題を解決するための手段】
【０００９】
上記した課題を解決するため、本考案のパンツでは、パンツの表地のうち少なくとも腹部から正面股部にかけての裏側に、その表地よりも保形性の高い芯地を重ね合わせ、その芯地のほぼ全面を表地に固定したのである。
【００１０】
より詳しくは考案にかかるパンツを、正面側の腹部が着用者の下腹部を覆い背面側の臀部が着用者の臀部を覆う胴部および胴部の下端から二股に分かれて着用者の左右の脚部をそれぞれ覆う一対の脚部を有する表地と、前記表地よりも保形性の高い布地で形成されて前記表地の裏側の少なくとも前記腹部から前記脚部のうちの人間の正面側の脚の付け根を覆う正面股部にかけての範囲に重ね合わされてそのほぼ全面が前記表地に固定されている芯地と、を備えるものとしたのである。
【００１１】
本考案のパンツは、前記表地の裏側の少なくとも前記芯地の全体を覆う範囲に重ね合わされて、前記表地にその少なくとも周縁部が固定された裏地をさらに有するのが好ましい。
【考案の効果】
【００１２】
考案にかかるパンツは、表地の腹部から正面股部の裏側に表地よりも保形性に優れた芯地を重ね合わせてほぼ全面を固定していることから当該箇所が補強されており、ここに着用者の腹部が押し当てられても膨張することが抑制され、下腹部の膨らみが目立つことが防止される。
また芯地により表地の当該箇所は保形性が高まって張りが出るため、生地が局部的に引っ張られたり撓んだりすることが抑制され、皺の発生が抑制される。
【００１３】
芯地を裏地で覆い隠すことで、芯地が表地の裏側に露出している場合に比べて美観が向上するとともに、その芯地が着用者の身体との摩擦等により劣化することが防止される。
【図面の簡単な説明】
【００１４】
【図１】実施形態のパンツの展開図
【図２】裏返しにした実施形態のパンツの正面図であって、（ａ）は裏地が取り付けられている図、（ｂ）は裏地が取り除かれた図
【考案を実施するための形態】
【００１５】
以下、図面を参照しつつ本考案の実施形態について説明する。
図１および図２に示す実施形態のパンツ１は、その正面側の腹部近辺の特殊構造により、着用者の下腹部の膨らみが目立ちにくく、また皺が生じにくくなっている。
【００１６】
このパンツ１は、複数のパーツすなわち、表面を構成する表地１０、中間面を構成する芯地４０、裏面を構成する裏地５０を一体化することで構成されている。
【００１７】
図１のように、その表地１０は、パンツ１の正面を構成する左右一対の略多角形状の前身頃２０と、パンツ１の背面を構成する左右一対の略多角形状の後身頃３０を縫製により一体化することで構成されている。
なお、以下、表地１０の生地の種類、縫い糸の種類、ボタンなどの付属品の有無や種類については、特に限定されないが、一般に表地１０には、柔軟で保形性の低い生地が使用される。
【００１８】
各前身頃２０は、その上半部が着用者の下腹部を覆う比較的幅の広い腹部２１となり、その下半部が着用者の脚部の正面側を覆う比較的幅の狭い正面脚部２２となっている。
前身頃２０の腹部２１の上縁にはダーツ２１ａが形成されており、また腹部の中央にはポケット２１ｂの開口が形成され、その裏側から開口縁に袋布２１ｃが縫い付けられることで物品を収納可能となっている（図２の（ｂ）参照）。
さらに正面脚部２２の腹部２１との境界箇所は、着用者の脚の付け根の正面側を覆う正面股部２２ａとなっている。
腹部２１の上縁には、着用者の腰回りの正面側を覆う前ベルト２３が縫い付けられるようになっている。
【００１９】
一方各後身頃３０は、その上半部が着用者の臀部を覆う比較的幅の広い臀部３１となり、その下半部が着用者の脚部の背面側を覆う比較的幅の狭い背面脚部３２となっている。
臀部３１の上縁にはダーツ３１ａが形成されて摘まれており、またこの上縁には、着用者の腰回りの背面側を覆う後ベルト３３が縫い付けられるようになっている。
【００２０】
これら前身頃２０と後身頃３０の基本的構成は、従来のパンツと同様でもよいが、腹回りに余裕を持たせるために、腹部２１の幅を多少（たとえば２ｃｍ程度）大きくしてもよい。
またポケット２１ｂ、ダーツ２１ａ、３１ａは省略可能であり、逆に数や分量を増やしたり位置を変更したりすることができる。
さらに、両脚部２２、３２の長さも図示のロングパンツ状のものに限定されず、膝程度までしか覆わないショートパンツ状のものとしてもよい。
前ベルト２３および後ベルト３３は、省略可能である。
【００２１】
ここで左右一対の後身頃３０は、臀部３１および後ベルト３３の隣接する側辺同士が互いに縫い合わせられている。
一方、左右一対の前身頃２０は、腹部２１の隣接する側辺が互いに縫い合わされておらず、ここに組み付けられた雌雄一対のスライドファスナなどの適宜手段により着脱可能となってジッパー部２４を構成している。
同様に、前ベルト２３同士についても縫い合わされておらず、ボタン、ホックなどの適宜手段により着脱可能となっている。
隣接する前身頃２０の腹部２１の側辺と後身頃３０の臀部３１の側辺同士、および前ベルト２３の側辺と後ベルト３３の側辺同士は、縫い合わされている。
これにより、パンツ１の上半部は、前身頃２０のジッパー部２４同士が係着し前ベルト２３同士がボタン等により係着した状態で、ほぼ円筒形をなしている。
さらに隣接する前身頃２０の正面脚部２２の両側辺同士と、後身頃３０の背面脚部３２の両側辺同士も縫い合わされており、これによりパンツ１の下半部は二股のほぼ円筒形をなしている。
【００２２】
さらに図１および図２（ｂ）のように、略多角形状の布地である芯地４０は、表地１０裏側の腹部２１から正面股部２２ａにかけての範囲に重ね合わされ、そのほぼ全面が接着、溶着等の適宜手段により表地１０に固定されている。
芯地４０は、表地１０よりも保形性の高い素材により形成されており、表地１０に固定することでその腹部２１から正面股部２２ａにかけてを補強しており、パンツ１の当該箇所に張りを持たせている。
パンツ１の当該箇所に着用者の腹部が押し当てられても、芯地４０により保形性が高まっていることから膨張等することが抑制される。したがって、パンツ１のシルエットが綺麗になり、着用者の下腹部の膨らみが目立つことが防止される。同様に、表地１０が局部的に不足して引っ張られたり余って撓んだりすることが抑制され、当該箇所における皺の発生も抑制される。
【００２３】
かかる芯地４０の種類、すなわち材質、厚み、使用する糸の径、編み方、織り方等は、表地１０よりも保形性が高い限りにおいて限定されないが、ジャケット等の上着については、保形性を持たせる目的でその表地の裏に固定される芯地が使用されているところ、これと同様の種類であることが好ましい。たとえば芯地４０を表地１０よりも厚手としたり、芯地４０に使用される糸として表地１０に使用される糸よりも剛性の高いものを選択することで、芯地４０に保形性を与えることが考えられる。
芯地４０の種類を例示すれば、織物芯地、編物芯地、不織布芯地、接着芯地が挙げられるが、いずれにせよその全面が表地に固定されているものであり、周縁部のみが表地に固定され表地の保形性を高めることのないパワーネットの如きものはこれに含まれない。
芯地４０の保形性を高めるために、被膜を形成するなどの表面処理を適宜施してもよい。また芯地４０は、種類の異なる複数の生地を積層して形成してもよいし、種類の異なる複数の糸から形成してもよい。芯地４０は、保形性が表地１０よりも高い限りにおいて、多少の伸縮性を有していてもよい。
【００２４】
図１および図２（ｂ）のように、略多角形上の布地である裏地５０は、表地１０の裏側の腹部２１および臀部３１から、正面脚部２２および背面脚部３２の着用者の膝を覆う箇所にかけての範囲に芯地４０に被せるようにして重ね合わされ、縫製等の適宜手段により表地１０にその周縁部等が固定されている。
これにより、芯地４０の全体が裏地５０に覆われて、芯地４０はパンツ１の裏面側から視認できなくなる。芯地４０が露出している場合に比べて体裁がよく、また芯地４０が摩擦等により劣化することが防止される。
裏地５０の生地の種類は特に限定されないが、着用者の身体に直接接触し、パンツ１の履き心地を左右することから、柔軟で保形性の低い生地が好ましい。
【００２５】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
【００２６】
たとえば、前身頃２０と後身頃３０の形状については、男性用、女性用、細身用、太目用、若年用、老年用等に応じて適宜改変可能なものとする。また、パンツの種類についても、チノパンタイプ、ジーンズタイプ、ショートパンツタイプなど特に限定されることはない。
【００２７】
さらに裏地５０は、省略することが可能であるし、逆に図示したよりも広い範囲で設けてもよい。
また芯地４０も、最小限、表地１０の腹部２１から正面股部２２ａの裏側に存在すればよいが、これよりも広い範囲に設けることについては妨げられない。たとえば表地１０の腹部２１から正面脚部２２の裾の辺りまでの全体に設けてもよいし、臀部３１や背面脚部３２に設けることも可能である。
【符号の説明】
【００２８】
１  パンツ
１０  表地
２０  前身頃
２１  腹部
２１ａ  ダーツ
２１ｂ  ポケット
２１ｃ  袋布
２２  正面脚部
２２ａ  正面股部
２３  前ベルト
２４  ジッパー部
３０  後身頃
３１  臀部
３１ａ  ダーツ
３２  背面脚部
３３  後ベルト
４０  芯地
５０  裏地
【図１】
0003180977.tif 000003
【図２】
0003180977.tif 000004